(57)【特許請求の範囲】
【請求項１】
浄水場における少なくとも沈澱池および浄水ろ過設備を順に備えた浄水処理系からの排水を、この排水を処理する排水処理系に移行させ、
前記沈澱池における沈澱排水を前記排水処理系に設けた濃縮設備において濃縮し、その濃縮スラッジを加温手段により６０℃以上かつ３０分以上の滞留時間をもって加温処理し、脱水処理した後、脱水ケーキを最終的に浄水場外に排出し、
前記浄水ろ過設備からの排水を、前記濃縮設備の上澄液とともに、クリプトスポリジウムを除去できる膜ろ過装置を通し、膜ろ過水を前記浄水処理系の源流に返送し、
膜ろ過装置のろ過排水は前記濃縮設備に導くことを特徴とする浄水場におけるクリプトスポリジウム除去処理方法。
【請求項２】
着水井、フロック形成池、沈澱池および浄水ろ過設備を順に備える浄水処理系に対して：
前記沈澱池における沈澱排水を濃縮する濃縮設備と、この濃縮設備からの濃縮スラッジを６０℃以上かつ３０分以上の滞留時間をもって加温処理する加温手段と、加温済濃縮スラッジを脱水処理する脱水装置と、その脱水ケーキを最終的に浄水場外に排出する手段と、脱水装置からの脱水ろ液、前記ろ過設備からの排水、ならびに前記濃縮設備の上澄液を受け入れて、クリプトスポリジウムを除去する膜ろ過装置とを備え、
膜ろ過水を前記浄水処理系の源流に返送し、膜ろ過装置のろ過排水は前記濃縮設備に導く構成とされた排水処理系、
が設けられていることを特徴とする浄水場におけるクリプトスポリジウム除去設備。
【発明の詳細な説明】
【０００１】
【発明の属する技術分野】
本発明は、浄水場におけるクリプトスポリジウム除去処理方法および設備に関する。
【０００２】
【従来の技術】
クリプトスポリジウムは人獣共通感染症病原体であり、人間への感染が報告されていて小腸に寄生する小型種（C.parvum）、および胃に寄生する大型種（C.muris ）とがある。クリプトスポリジウムの感染型はオーシストであり、小型種のオーシストの形状は 4.5〜5.4 × 4.2〜5.0 μm の楕円形、大型種のオーシストの形状は 6.6〜7.9 × 5.3〜6.5 μm の楕円形である。クリプトスポリジウムの感染型であるオーシストの塩素抵抗性は、大腸菌（E.coli）の２４万倍であり、また塩素抵抗性のあることで知られる同じ原虫類のジアルジアシストの１００倍であるというように、消毒剤等に対する強い耐性を持ち、かつ、きわめて高い感染力をも持つ。しかし、クリプトスポリジウムオーシストは加熱、冷凍および乾燥には弱く、６０°Ｃ以上もしくは−２０°Ｃ以下で３０分、または、常温で１〜４日間の乾燥で感染力を失う。煮沸の場合は１分以上で不活化ができる。
【０００３】
海外では水道水等による大規模な集団感染事例が報告されているが、日本においては感染事例は非常に少なく、クリプトスポリジウムが重要な病原体であるとの認識が低いため、わが国における浄水システムにおいては、クリプトスポリジウムを除去する対策は採られていない。
【０００４】
わが国における浄水システムでは、図１に示すように、河川などの水源からの対象水２２を、着水井１０にて受けられ、これをフロック形成池１７にてフロック形成した後、沈澱池１８において沈澱濃縮を図り、上澄液はろ過池または小規模施設では膜ろ過装置からなる浄水ろ過装置１９によりろ過処理し、浄水池２１へ送られ、水道水とされている。
【０００５】
沈澱池１８および浄水ろ過装置１９からはそれぞれ排水が排出されるが、その排水または排水処理系を経た処理水を、着水井１０に返送する限り、通常は、クリプトスポリジウムは浄水場における系内に留まり、水道水に混入することはない。
【０００６】
【発明が解決しようとする課題】
しかし、浄水設備のトラブルにより、クリプトスポリジウムが水道水に混入する可能性はないとは言えず、しかも、通常の塩素消毒レベルではクリプトスポリジウムの死滅はほとんど期待できないことが、前記の可能性を否定できない根拠となっている。
【０００７】
そこで本発明の課題は、浄水処理系に対して、特有の排水処理系を設けることにより、クリプトスポリジウムを除去および死滅させ、水道水へのクリプトスポリジウムの混入の可能性を確実に解消することにある。
【０００８】
【課題を解決するための手段】
上記課題を解決した請求項１記載の発明は、浄水場における少なくとも沈澱池および浄水ろ過設備を順に備えた浄水処理系からの排水を、この排水を処理する排水処理系に移行させ、
前記沈澱池における沈澱排水を前記排水処理系に設けた濃縮設備において濃縮し、その濃縮スラッジを加温手段により６０℃以上かつ３０分以上の滞留時間をもって加温処理し、脱水処理した後、脱水ケーキを最終的に浄水場外に排出し、
前記浄水ろ過設備からの排水を、前記濃縮設備の上澄液とともに、クリプトスポリジウムを除去できる膜ろ過装置を通し、膜ろ過水を前記浄水処理系の源流に返送し、
膜ろ過装置のろ過排水は前記濃縮設備に導くことを特徴とする浄水場におけるクリプトスポリジウム除去処理方法である。
【０００９】
請求項２記載の発明は、着水井、フロック形成池、沈澱池および浄水ろ過設備を順に備える浄水処理系に対して：
前記沈澱池における沈澱排水を濃縮する濃縮設備と、この濃縮設備からの濃縮スラッジを６０℃以上かつ３０分以上の滞留時間をもって加温処理する加温手段と、加温済濃縮スラッジを脱水処理する脱水装置と、その脱水ケーキを最終的に浄水場外に排出する手段と、脱水装置からの脱水ろ液、前記ろ過設備からの排水、ならびに前記濃縮設備の上澄液を受け入れて、クリプトスポリジウムを除去する膜ろ過装置とを備え、
膜ろ過水を前記浄水処理系の源流に返送し、膜ろ過装置のろ過排水は前記濃縮設備に導く構成とされた排水処理系、
が設けられていることを特徴とする浄水場におけるクリプトスポリジウム除去設備である。
【００１０】
【発明の実施の形態】
以下本発明を図１に示す実施の形態を参照しながらさらに詳説する。
【００１１】
図１は一般的な浄水処理系Ａに対して、本発明に係る排水処理系Ｂを設けた例を示したものであり、破線で示される処理ラインはクリプトスポリジウムが存在する可能性のあるラインを、また、実線で示される処理ラインはクリプトスポリジウムが除去されたラインを表すものである。
【００１２】
本発明では、沈澱池排水１および後述する膜ろ過装置８からの膜ろ過装置洗浄排水２とを排泥池３に一旦集め、その排水を濃縮槽４に送る。
【００１３】
濃縮槽４で濃縮操作を行い、その上澄水５は排水池６に送る。濃縮槽４底から排出された濃縮スラッジ１１は、加温装置１２に導き、この加温装置１２において６０℃以上かつ３０分以上の滞留時間をもって加温し、クリプトスポリジウムの死滅化を図る。この加温装置１２での、加温済濃縮スラッジ１３は、加圧脱水機などの脱水装置１４により脱水し、脱水ケーキ１６は、浄水場外２３に廃棄する一方で、脱水装置１４の脱水ろ液１５を、排水池６に返送する。
【００１４】
排水池６では、濃縮槽４からの上澄水５、浄水ろ過装置１９からの浄水ろ過排水２０と共に、排水処理水７として、膜ろ過装置８に送り込む。この膜ろ過装置８においてクリプトスポリジウムを完全に除去・捕捉し、膜ろ過水９として着水井１０に戻し、浄水処理系Ａへのクリプトスポリジウムの混入を防止する。膜ろ過水９は、着水井１０に返送するほか、沈澱池１８などの浄水処理系Ａの源流に戻すことができる。
【００１５】
この膜ろ過装置８のろ材である膜は、クリプトスポリジウムを完全に除去できるものとするため、細孔の大きさは 4.2μm 以下であることが好ましい。
【００１６】
膜ろ過装置８で除去したクリプトスポリジウムは、沈澱池１８からの沈澱池排水１と共に排泥池３に移行するが、これは、濃縮槽４を通った後、最終的に加温装置１２で死滅化を図った上で、脱水ケーキ１６として浄水場外２３に廃棄するので、浄水処理系Ａへのクリプトスポリジウムの混入を防止できるとともに、排水処理系Ｂに混入したとしても、この系外に流出することはない。
【００１７】
【発明の効果】
以上のとおり、本発明によれば、浄水処理系に対して、特有の排水処理系を設けたので、クリプトスポリジウムを除去および死滅させ、水道水へのクリプトスポリジウムの混入の可能性を確実に解消することができるなどの利点がもたらされる。
【図面の簡単な説明】
【図１】本発明に係る浄水システムのフローチャートである。
【符号の説明】
８…膜ろ過装置、９…膜ろ過水、１２…加温装置。
【図１】
0004070155.tif 000002